(57)【要約】【課題】ほうき柄に着脱可能に装着して、使い古しのタオル等を再利用できるようにしたほうき柄への着脱掃除用具を提供する。【解決手段】ほうき柄を挿通させる筒状の挿通部１を形成し、該挿通部の下方にほうきの掃取り穂の取付部を被覆するカバー２を形成して、前記挿通部の上端部に巻付けバンド３と、該巻付けバンドの下方に、両端部に挟みクリップ４，４を吊設した紐材５を左右に移動自在にして設けると共に、前記カバー２の下端部にずれ止めテープ６，６を貼設したほうき柄への着脱掃除用具で、使い古しのタオル等の拭取り材をほうきの掃取り穂先に当てて包むように上方へ張り上げて両端部を前記カバー２の左右両端部に掛け、挟みクリップ４，４で止めて掃除する。【選択図】図１
0003119569.tif 000002
【実用新案登録請求の範囲】
【請求項１】
ほうき柄を挿通させる挿通部を形成し、該挿通部の下方にほうきの掃取り穂の取付部を被覆するカバーを形成して、前記挿通部の上端側部に巻付けバンドと、両端部に挟みクリップを吊設した紐材を設けてなることを特徴とするほうき柄への着脱掃除用具。
【請求項２】
ほうき柄を挿通させる挿通部が筒状に形成され、両端部に止着用のファスナーを設けた巻付けバンドと、該巻付けバンドの下方に、両端部に挟みクリップを吊設した紐材を左右に移動自在にして設けてなることを特徴とする請求項１記載のほうき柄への着脱掃除用具。
【請求項３】
ほうきの掃取り穂の取付部を被覆するカバーの下端部に、ずれ止めテープを貼設してなることを特徴とする請求項１又は請求項２記載のほうき柄への着脱掃除用具。
【考案の詳細な説明】
【技術分野】
【０００１】
本考案は、ほうき柄に着脱可能にして装着し、使い古しのタオル等を再利用できるようにしたほうき柄への着脱掃除用具に関するものである。
【背景技術】
【０００２】
畳、ジュウタン、マット等の敷設面やフローリング、及び窓、網戸、壁面の拭取り掃除は、従来雑巾等で拭取ることが多く、屈んだり、膝をついたりして行うため、疲労感が大きく、腰痛、膝痛、肩こりの原因にもなりやすく、且つ畳やジュウタン、マット、及び網戸等に目詰まりしたゴミや粉塵は雑巾で拭取るだけではきれいに除去することができない。
【０００３】
又、掃取りの機能と拭取りの機能とを持ち、細かな粉塵をも水を使わないで掃取ることが可能な掃取り具として、ほうきの先端側に、先端部がナイロンの編成物から成る袋状掃取り部を、ひもで柄の根元部分に固定するようにした掃取り具（特許文献１参照）や、掃取るだけでなく床及び壁面に張付いたゴミの除去も可能なものとして、ほうきにケレン棒を組み込み、ケレン棒柄がほうきの柄の中、又は外側を長手方向に自由に移動でき、且つ必要に応じて固定されるようにしたケレンボーキ（特許文献２参照）、古くなったタオルの再利用が可能な家庭用の床拭き具として、床拭き具を着脱する枠体部を、古くなったタオルの両端部を中央方向へ折返して３重に折りたたんだときの方形状よりも、所定の寸法だけ小さい方形状としてその中央部に梁を左右方向へ横設する枠体とし、その梁の両側外上位へ梁に平行な支軸部を位置させる支持部材を梁の両端近傍部に設け、支軸を支点として揺動し、揺動端辺が前記枠体の前後枠辺内近くを揺動するように形成したＣ形状一対の抑え枠を備えると共に、揺動端辺と梁との間に引きバネを張設してなる床拭き具（特許文献３参照）が開示され、公知となっている。
【０００４】
【特許文献１】特開平８−５２１０１号公報
【特許文献２】特開２００２−１２５９０２号公報
【特許文献３】実開平６−３２６４号公報
【考案の開示】
【考案が解決しようとする課題】
【０００５】
しかしながら、上記特許文献１に記載される掃取り具や、特許文献２に記載されるケレンボーキは、掃取りと拭取りの両方を可能とするが、掃取り部が袋状の一体のものであったり、ケレン刃先とほうきの穂先の組み合わせであったりして使い古したタオルを取替えて掃除するには適用し難く、特許文献３に記載される床拭き具は、古くなったタオルを床拭き布として再利用できるようにしたものではあるが、ほうきに着脱して再利用するようにはなっておらず、拭取りのみであり、畳やジュウタン、網戸等に目詰まりしたゴミや粉塵を有効に除去し難く、構成も比較的に複雑であるなどの問題点（課題）を有している。
【課題を解決するための手段】
【０００６】
本考案は、上記問題点に鑑みてなされたほうき柄への着脱掃除用用具を提供するものであり、その解決するための手段は、ほうき柄を挿通させる挿通部を形成し、該挿通部の下方にほうきの掃取り穂の取付部を被覆するカバーを形成して、前記挿通部の上端側部に巻付けバンドと両端部に挟みクリップを吊設した紐材を設けてなることを特徴とする。そして、タオル等の拭取り材をほうきの掃取り穂先に当てて包むように上方へ張り上げた両端部を前記カバーの左右両肩部に掛け、前記挟みクリップで挟んで止めるようにする。拭取り材は家庭等で使い古したタオルを再利用するのが好ましいが、使い古した布材を所要の寸法に切断して利用することもできる。
【０００７】
前記ほうき柄を挿通させる挿通部は筒状に形成され、両端部に止着用のファスナーを設けた巻付けバンドと、該巻付けバンドの下方に、両端部に挟みクリップを吊設した紐材を左右に移動自在にして設けてなることを特徴とする。ほうき柄を挿通しやすくすると共に、ほうき柄の下端部に巻付けバンドを巻き付け、ファスナーで止めて取付けられるようにし、カバーの左右両肩部に張り上げて掛けたタオル等の布材の両端部をクリップで止めるのが任意にできるようにするためである。又、前記ほうきの掃取り穂の取付部を被覆するカバーの下端部には、ずれ止めテープを貼設してなることを特徴とする。ほうきの掃取り部を包むように上方へ張り上げたタオル等の拭取り材が掃取り掃除中にずれないようにするためである。
【考案の効果】
【０００８】
上記手段にて記載する如く、本考案は、ほうき柄を挿通させる挿通部を形成し、該挿通部の下方にほうきの掃取り穂の取付部を被覆するカバーを形成して、前記挿通部に巻付けバンドと、両端部に挟みクリップを吊設した紐材を設けたものであり、タオル等の拭取り材をほうきの掃取り穂先に当てて包むように上方へ張り上げた両端部を前記カバーの左右両肩部に掛け、前記挟みクリップで止めて使用するようにしたものであるから、ほうきへの着脱が容易且つ迅速に行えると共に、屈んだり、膝をついたりすることなくほうきで掃くように行えて疲労感、ひざ痛、腰痛、肩こり等をなくすのに効果を奏する。
【０００９】
使い古しのタオルや布材は家庭において頻繁に出るものであり、廃棄物として処理することなく有効に再利用できると共に、着脱も容易且つ迅速に行えるから、汚れたら惜しみなく頻繁に取替えてきれいに掃除を行うのに効果を奏し、その都度洗って乾くまで待つ必要もなく、拭取り材の購入も必要でない。
【００１０】
タオル等の拭取り材にほうきの穂先を当てて包むように上方へ張り上げるから、ほうきの穂先を拭取り材の下面に突き出すことができ、畳やジュウタン及び網戸等に目詰まりしたゴミをほうきの穂先で掃出して抜取るのに効果を奏する。
【００１１】
ほうきと一体に形成されていないから、取外してコンパクトに収納できると共に、構成はシンプルであり、安価にできる。などの効果を奏する。
【考案を実施するための最良の形態】
【００１２】
本考案を実施するための最良の形態は、ほうき柄を挿通させる筒状の挿通部を形成し、該挿通部の下方にほうきの掃取り穂の取付部を被覆するカバーを形成して、前記挿通部の上端側部に巻付けバンドと、該巻付けバンドの下方に、両端部に挟みクリップを吊設した紐材を左右に移動自在にして設けると共に、前記カバーの下端部に、ずれ止めテープを貼設したもので、タオル等の拭取り材をほうきの掃取り穂先に当てて包むように上方へ張り上げて両端部を前記カバーの左右両肩部に掛け、挟みクリップで止めて使用するようにした形態である。以下実施例にて図面を参照して説明する。
【実施例１】
【００１３】
図１は、本考案の実施例を示す斜視図である。図示するようにほうき柄を挿通させる挿通部１が形成され、該挿通部の下方にほうきの掃取り穂の取付部を被覆するカバー２が形成されて、前記挿通部１の上端側部に巻付けバンド３と、その下方に、両端部に挟みクリップ４，４を吊設した紐材５が設けられ、カバー２の下端部には、ずれ止めテープ６，６が貼設されている。
【００１４】
挿通部１とカバー２は、半円弧状に形成された部分と、その下方のフラットな部分を有する防水製の布材を二枚合せにして左右の縁部を縫い付けることにより、上端部は筒状の挿通部１と、その下方はフラットな空隙を有するカバー２が形成されて、その空隙を拡げるようにしてほうき柄を下方の矢印方向から筒状の挿通部１へ挿通するようにしてある。
【００１５】
巻付けバンド３は、防水製布ベルトの左右両端部にファスナー３ａ，３ｂが取付けられて略中心部を挿通部１の上端側部に縫付けてあり、前記挿通部１に挿通されたほうき柄の根元部に挿通部１を締め付けるようにして巻き付け、左右のファスナー３ａ，３ｂを付着させることにより挿通部１がほうき柄の根元部に固定されるようにしてある。
【００１６】
紐材５は、防水製の帯状の紐材で左右両端部にリング４ａ，４ａを介して挟みクリップ４，４が吊設され、前記巻付けバンド３の下方の側部に縫付けられた側帯７で支持されるようにして左右に移動自在に装着されていて、挟みクリップ４，４より任意に止められるようにしてある。
なお、紐材５は伸縮自在な紐材であれば、中心部で縫付けるなどして左右に移動自在でなくても良い。
【００１７】
ずれ止めテープ６は、植毛された防水製の帯状のテープであって、カバー２の下端両側部に貼設されていて、前記挟みクリップ４，４で止めて装着されたタオル等の拭取り材が掃除中にずれないようにしてある。
【００１８】
図２、及び図３は以上のようにして、ほうき柄の根元部に取付け固定し、タオル等の拭取り材を装着した状態を示す図面で、図２は要部斜視図、図３はその側断面図である。ほうきは家庭等で使用されている市販された棕梠毛の掃取り穂を有する長い柄付きのものであり、拭取り材は家庭等で使い古しのタオルを使用するがこれに限定されるものではない。
【００１９】
図示するように、挿通部１にほうきの柄８が挿通され、ほうき柄の根元部８ａに、巻付けバンド３を巻き付けてファスナー３ａ，３ｂを付着させることにより挿通部１の上端部が締め付け固定されており、カバー２でほうきの掃取り穂９の取付部８ｂが被覆されている。そして、ほうきの掃取り穂先９ａに拭取り材１０を当てて上方へ張り上げた両端部１０ａ，１０ａをカバー２の左右両肩部に掛け、紐材５の左右両端部に吊設した挟みクリップ４，４で挟んで止めた状態とし、この状態で掃除を行う。
【００２０】
拭取り材１０は、家庭等で出る使い古しのタオルを使用するのが好ましいが、限定されるものではなく、使い古しの布材でも所要の大きさに裁断して使用することができる。これらを使用することにより廃棄物の再利用が図られ、且つ拭取り材の購入が不要となる。
【００２１】
前記拭取り材１０は、例えば、図４の（ａ）に示すように一重にして、ほうきの掃取り穂先９ａに当てて上方へ張上げると、掃取り穂先９ａが布材１０の下面に突き出て、畳やジュウタン、網戸等に目詰まりしたゴミや粉塵を効率良く除去して拭取るのに効果があり、木質板等のフローリング床面のようにゴミが目詰まりしていない場合は、図４の（ｂ）に示すように布材を二重にするなどしてほうきの掃取り穂先９ａが布材１０の下面に突き出ないようにするのが良い。
【図面の簡単な説明】
【００２２】
【図１】本考案の実施例を示す斜視図である。
【図２】本考案をほうき柄の根元部に取付け、タオル等の拭取り材を装着した状態の要部斜視図である。
【図３】図２の側断面図である。
【図４】ほうきの掃取り穂先への拭取り材の装着例を示す要部断面図である。
【符号の説明】
【００２３】
１  挿通部
２  カバー
３  巻付けバンド
３ａ，３ｂ  ファスナー
４  挟みクリップ
４ａ  リング
５  紐材
６  ずれ止めテープ
７  側帯
８  ほうき柄
８ａ  根元部
８ｂ  掃取り穂の取付部
９  掃取り穂
９ａ  掃取り穂先
１０  拭取り材
１０ａ  両端部
【図１】
0003119569.tif 000003
【図２】
0003119569.tif 000004
【図３】
0003119569.tif 000005
【図４】
0003119569.tif 000006